【手続補正書】
【提出日】平成16年4月28日(2004.4.28)
【手続補正１】
【補正対象書類名】明細書
【補正対象項目名】発明の名称
【補正方法】変更
【補正の内容】
【発明の名称】原稿搬送装置、原稿搬送装置を備えた画像読取装置及び画像読取装置を備えた画像形成装置
【手続補正２】
【補正対象書類名】明細書
【補正対象項目名】特許請求の範囲
【補正方法】変更
【補正の内容】
【特許請求の範囲】
【請求項１】
送られてくる原稿を所定位置に固定された平面形状の平面部に圧接し、該平面部に対して原稿を一定速度で搬送する原稿搬送ローラを備え、
上記原稿搬送ローラは原稿を搬送するための弾性部材からなるローラ部と、該ローラ部の両端部に、ローラ部よりも硬質の部材からなるカラー部とを設けて構成され、
上記原稿搬送ローラとは別に原稿の搬送を行なうために駆動される駆動ローラが設けられており、該駆動ローラの駆動軸に回転可能に支持された支持アームの一部に上記原稿搬送ローラの回転軸を回転可能に保持し、
上記支持アームを平面部側へと回動させることで原稿搬送ローラを平面部に圧接させるように構成したことを特徴とする原稿搬送装置。
【請求項２】
上記支持アームに支持された原稿搬送ローラは、駆動ローラから回転力が伝達され、この回転力が伝達されることで、支持アームを介して平面部側への回転モーメントが作用するように回転力が伝達されるように構成されていることを特徴とする請求項１記載の原稿搬送装置。
【請求項３】
透明部材にて構成された平面部に対向配置され、原稿を透明部材に押し付けながら回転する原稿搬送ローラを設けた原稿搬送装置であって、
上記原稿搬送ローラは回転駆動される回転軸に原稿を搬送するローラ部と、該ローラ部の両端部に設けられたカラー部とで構成され、
上記原稿搬送ローラとは別に原稿の搬送を行う駆動ローラを設け、該駆動ローラの駆動軸に回転可能に支持された支持アームの一端に上記原稿搬送ローラの回転軸を回転可能に保持し、上記原稿搬送ローラの回転軸と上記駆動ローラの駆動軸とを連結し、駆動ローラの回転力を搬送ローラの回転軸に伝達する動力伝達部を設け、
上記動力伝達部は、上記搬送ローラの回転軸に設けられた第１ギアと、駆動ローラの駆動軸に設けられた第２ギアとの間にタイミングベルトを張架し、駆動ローラの回転力を原稿搬送ローラに伝達する構成であることを特徴とする原稿搬送装置。
【請求項４】
透明部材にて構成された平面部に対向配置され、原稿を透明部材に押し付けながら回転する原稿搬送ローラを設けた原稿搬送装置であって、
上記原稿搬送ローラとは別に上記原稿搬送ローラの下流部に読取後の原稿の搬送を行う駆動ローラを設け、該駆動ローラの駆動軸に回転可能に支持された支持アームの一端に上記原稿搬送ローラの回転軸を回転可能に保持し、上記原稿搬送ローラの回転軸と上記駆動ローラの駆動軸とを連結し、駆動ローラの回転力を搬送ローラの回転軸に伝達する動力伝達部を設け、
上記動力伝達部は、上記搬送ローラの回転軸に設けられた第１ギアと、駆動ローラの駆動軸に設けられた第２ギアとの間にタイミングベルトを張架し、駆動ローラの回転力を原稿搬送ローラに伝達する構成であることを特徴とする原稿搬送装置。
【請求項５】
上記請求項１〜４の何れかに記載の原稿搬送装置を備え、
上記平面部に対向する上記搬送ローラと反対面側に、光を照射し画像を読取る読取部を設け、搬送される原稿の画像を読取ることを特徴とする原稿搬送装置を備えた画像読取装置。
【請求項６】
上記請求項５記載の画像読取装置を備え、
上記画像読取装置で読取った画像データをシート上に可視像として出力する記録部を有することを特徴とする原稿読取り装置を備えた画像形成装置。
【手続補正３】
【補正対象書類名】明細書
【補正対象項目名】０００１
【補正方法】変更
【補正の内容】
【０００１】
【発明の属する技術分野】
本発明は原稿を目的の位置へと搬送するための原稿搬送装置であって、特に原稿を搬送しながら読取るために平面部に原稿を当接させた状態で原稿を搬送するように構成してなる原稿搬送装置、またその原稿搬送装置を備えた画像読取装置及び該画像読取装置を備えた画像形成装置に関する。
【手続補正４】
【補正対象書類名】明細書
【補正対象項目名】０００２
【補正方法】変更
【補正の内容】
【０００２】
【従来の技術】
記録装置（プリンタ）は、原稿の画像を読取った画像データ、他の装置から入力されてくる画像データ等を目視できる状態に可視画像を記録媒体であるシート上に形成し、これをハードコピーとして出力するようにしている。この記録装置は、例えば電子写真方式、インクを選択的に吐出させて記録するインクジェット方式、感熱紙あるいは熱転写インクを有するサーマルヘッドを備える熱記録方式等を利用するものが一般的である。
【手続補正５】
【補正対象書類名】明細書
【補正対象項目名】００１９
【補正方法】変更
【補正の内容】
【００１９】
【課題を解決するための手段】
上述した目的を達成するための本発明による第１の発明の原稿搬送装置は、送られてくる原稿を所定位置に固定された平面形状の平面部に圧接し、該平面部に対して原稿を一定速度で搬送する原稿搬送ローラを備え、上記原稿搬送ローラは原稿を搬送するための弾性部材からなるローラ部と、該ローラ部の両端部に、ローラ部よりも硬質の部材からなるカラー部とを設け、上記原稿搬送ローラとは別に原稿の搬送を行なうために駆動される駆動ローラが設けられており、該駆動ローラの駆動軸に回転可能に支持された支持アームの一部に上記搬送ローラの回転軸を回転可能に保持し、上記支持アームを平面部側へと回動させることで搬送ローラを平面部に圧接させるように構成したことを特徴とする。
【手続補正６】
【補正対象書類名】明細書
【補正対象項目名】００２０
【補正方法】変更
【補正の内容】
【００２０】
このような構成によれば、原稿を平面部に対して搬送する場合、そのための原稿搬送ローラは、両端部のカラー部にて原稿搬送を行なうローラ部が弾性変形されるのが抑制される。そのため、原稿搬送ローラのローラ部は平面部に対して大きな幅で接触することが抑制され、駆動負荷が大きくなるのが抑制され、よって駆動トルクの変動が大きくならず原稿を安定して搬送することが可能となる。
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】変更
【補正の内容】
【００２５】
また、原稿搬送ローラを平面部に対して回転させることができ、平面部へとカラー部を介して正確に位置決めさせて対峙できる。この場合、平面部が画像を読取る位置として構成されている場合、その位置に原稿搬送ローラにて原稿を圧接させることができ、読取と原稿搬送との位置関係のばらつきをなくし、良好な状態で平面部に対し原稿を搬送することができる。
【手続補正１２】
【補正対象書類名】明細書
【補正対象項目名】００２７
【補正方法】変更
【補正の内容】
【００２７】
以上のような構成の原稿の搬送装置において、平面部において、上述したように画像の読取りを行なうようにした場合には、原稿を搬送しながら画像を良好に読取ることができる。
【手続補正１３】
【補正対象書類名】明細書
【補正対象項目名】００２９
【補正方法】変更
【補正の内容】
【００２９】
まず、図４を参照して本発明における画像形成装置の構成および原稿搬送装置により原稿の画像を読取る画像読取手段であるスキャナの構成について説明する。本発明にかかる画像形成装置は、その画像形成装置１本体の上部に原稿搬送装置を備える画像読取装置であるスキャナ１０を、その下部にスキャナ１０を載置した状態でも設けられる記録装置２０を備えて構成されている。
【手続補正１４】
【補正対象書類名】明細書
【補正対象項目名】００３２
【補正方法】変更
【補正の内容】
【００３２】
また、読取装置１１は、上述した第１の読取部である原稿台１３、第２の読取部である透明プラテン１４の下面より光を照射するための露光ランプを含む露光アセンブリ１５、原稿からの反射光を光電変換素子（以下ＣＣＤ「Charge  Coupled  Device」と記す）１６に導くための各種反射ミラー１７ａ〜１７ｃ、原稿からの反射光を上記反射ミラー１７ａから１７ｃを介して上記ＣＣＤ１６に結像させる光学レンズ１８、該光学レンズ１８にて結像された原稿の反射光像を電気的な画像信号に変換する上述したＣＣＣ１６にて構成されている。
【手続補正１５】
【補正対象書類名】明細書
【補正対象項目名】００３８
【補正方法】変更
【補正の内容】
【００３８】
まず、シート搬送装置による搬送系は、画像形成装置本体の底部に着脱可能に設けられ、決められたサイズのシートを収容してなる給紙カセット２７、給紙カセット２７内のシートＰを給紙するための半月形状の給紙ローラ２８、給紙されたシートを転写器２５の転写位置へと送り込むために、その手前に配置された搬送ローラ（レジストローラ）２９を備えている。レジストローラ２９は、シート先端と、感光体２１に形成されるトナー像先端とを一致させるようにシートの搬送開始を制御するものであって、給紙ローラ２８を介して給紙されるシートを一旦停止させ、先端を揃えた後、感光体２１に形成されたトナー像とのタイミングを合わせて転写位置へと搬送する。
【手続補正１６】
【補正対象書類名】明細書
【補正対象項目名】００４６
【補正方法】変更
【補正の内容】
【００４６】
次にシートの両面に画像を記録する場合を説明すれば、まず片面への画像形成を完了したシートは、定着装置３３を経て、切替ゲート３４に案内され、再搬送ローラ３８にて排出処理される途中で、シート後端が検知センサ４０にて検知される。この検知に応答して、再搬送ローラ３８の正転駆動が停止され、逆方向に駆動される。排出ローラ３７も同時に停止され、フリーな状態に設定される。これにより、シート後端が、先頭となって排出経路３５から再搬送経路３６へと切替ゲート３４の選択切替にて案内される。このシートは、再搬送経路３６に配置されている搬送ローラ４１を経て搬送され、レジストローラ２９へと送られ、その位置で停止される。
【手続補正１７】
【補正対象書類名】明細書
【補正対象項目名】００５４
【補正方法】変更
【補正の内容】
【００５４】
そこで、片面原稿を読取るために、原稿の画像面を上にして原稿トレイ２に載置する。載置された原稿は最上部より給紙ローラ３を経て分離搬送手段４を経由し原稿レジストローラ５へと送り込まれる。この状態で、読取開始タイミングが取られ、透明プラテン１４位置へと送り込むために、原稿レジストローラ５による搬送が開始される。
【手続補正１８】
【補正対象書類名】明細書
【補正対象項目名】００７１
【補正方法】変更
【補正の内容】
【００７１】
（本発明の搬送ローラの製法の一例）
本発明の原稿搬送装置１２を構成する搬送ローラ６は、その構成として図２に示すように原稿を搬送する領域に対応するように弾性部材からなり、摩擦係数の大きいゴム等かなるゴムローラ部６ｂと、該ゴムローラ部６ｂの両端であって、原稿の搬送に寄与しない領域に設けられたカラー６ｃと、同一径となるように構成している。
【手続補正１９】
【補正対象書類名】明細書
【補正対象項目名】００７３
【補正方法】変更
【補正の内容】
【００７３】
逆に、ゴムローラ部６ｂが、カラー６ｃの径に対して大きく形成された構成の搬送ローラ６の場合には、ゴムローラ部６ｂが透明プラテン１４に圧接されることで弾性変形し、これにより搬送方向にゴムローラ６ｂが透明プラテン１４に相当の幅で接触し、その方向の接触面積が大きくなる。この接触面積は、カラー６ｃにてある程度抑制できるとしても、その接触面積が大きくなる分、駆動モータに及ぼす駆動トルクの負荷が大きくなる。
【手続補正２０】
【補正対象書類名】明細書
【補正対象項目名】００７７
【補正方法】変更
【補正の内容】
【００７７】
まず、搬送ローラ６を構成するカラー６ｃ及びゴムローラ６ｂを、回転軸６ａに対し、必要以上のトルクがかかっても空転しないように取りつける。通常ゴムローラ部６ｂは回転軸６ａが回転駆動されることで同時に回転されるため、回転軸に固定された状態で設けられている。そして、カラー部６ｃは、回転軸６ａに対して回転可能に設けることで、搬送ローラ６を回転させるときの駆動トルクを軽減できる。そのため、カラー部６ｃについては、軸６ａに対して固定状態で設けてもよいが、回転可能に設けるためにもこのカラー部６ｃを空転しないように係止しておく。
【手続補正２１】
【補正対象書類名】明細書
【補正対象項目名】００９５
【補正方法】変更
【補正の内容】
【００９５】
図７において矢印は搬送ローラ６を、透明プラテン１４に圧接させるための付勢力（圧力方向）を示すものである。ここで、図７（ａ）は、搬送ローラ６をカラー部６ｃを設けることなく構成したものを透明プラテン１４へと圧接させた状態を示している。このように、搬送ローラ６を透明プラテン１４側へと付勢することで、全体が押圧され透明プラテン１４が押圧方向（下部方向）に湾曲するように撓み、弾性のゴムローラ部６ｂの両端部側が大きく変形する。これにより中央部で透明プラテン１４との隙間が生じ安定した搬送を行なえなくなる。
【手続補正２２】
【補正対象書類名】明細書
【補正対象項目名】０１０１
【補正方法】変更
【補正の内容】
【０１０１】
【発明の効果】
以上説明した本発明の原稿搬送装置によれば、原稿を静止した平面部に対し搬送する原稿搬送ローラにおいて、原稿を搬送するために設けられた弾性部材にて構成されたローラ部の両端に、ローラ部よりも硬質の部材からなるカラー部を設けたものであるため、原稿を上記平面部に押付けて良好なる搬送を行なえる。
【手続補正２３】
【補正対象書類名】明細書
【補正対象項目名】０１０２
【補正方法】変更
【補正の内容】
【０１０２】
また、駆動の時の負荷が大きくなるのを避け、小さい負荷で安定搬送を可能にし、搬送を一時停止し再開するときにも再開時の搬送不良を解消して安定搬送を可能にできる。